(57)【要約】【課題】蓋体ｂを閉じた姿勢から開いた姿勢とするときに、使用者が開蓋を快適に行うことのできる、商品価値の高い包装用容器１を得る。【解決手段】容器部ａと蓋部ｂとがヒンジ部Ｐを介して開閉自在な包装用容器１であり、ヒンジ部Ｐにはヒンジ部Ｐの両端に達しない長さの第１の切り込み線３０が形成されており、容器部ａの後板１５と蓋部ｂの後板２５のいずれか一方または双方には、第１の切り込み線３０に一端が達する第２の切り込み線４０（４１ａ〜４１ｄ）が形成されている。ヒンジ部Ｐに沿う前板１５や後板２５の剛性を局部的に緩和することができ、蓋を開ける操作がスムーズになる。【選択図】図１
0003175597.tif 000002
【実用新案登録請求の範囲】
【請求項１】
容器部と蓋部とがヒンジ部を介して開閉自在な包装用容器であり、前記容器部は、底板、前板、左右の側板および後板を有し、前記蓋部は、天板、前板、左右の側板および後板を有し、前記容器部の後板の上縁と前記蓋部の後板の下縁とが連続して前記ヒンジ部が形成されている包装用容器において、
前記ヒンジ部には該ヒンジ部の両端に達しない長さの第１の切り込み線が形成されており、前記容器部の後板と前記蓋部の後板のいずれか一方または双方には前記第１の切り込み線に一端が達する第２の切り込み線が形成されていることを特徴とする包装用容器。
【請求項２】
前記第２の切り込み線は前記第１の切り込み線の両端部に一端が達するようにして形成されていることを特徴とする請求項１に記載の包装用容器。
【請求項３】
前記第２の切り込み線は前記第１の切り込み線を頂部とするＶ字形状をなしていることを特徴とする請求項１または２に記載の包装用容器。
【請求項４】
前記Ｖ字形状をなす第２の切り込み線はその頂部が前記第１の切り込み線のほぼ中央部に位置するようにして形成されていることを特徴とする請求項３に記載の包装用容器。
【請求項５】
前記Ｖ字形状をなす第２の切り込み線は全体でほぼＸ字形状をなすように前記容器部の後板と前記蓋部の後板の双方に形成されていることを特徴とする請求項３または４に記載の包装用容器。
【考案の詳細な説明】
【技術分野】
【０００１】
本考案は包装用容器に関し、特に、ファーストフード店などにおいて提供されるハンバーガーなどの物品を収納するのに適した包装用容器に関する。
【背景技術】
【０００２】
ファーストフード店などでハンバーガーなどの食品を提供するための包装用容器として、蓋部と容器部とがヒンジ部を介して開閉自在とされた箱型の包装用容器（クラムシェル型容器）が知られている。その一例が特許文献１に示されており、図４に示すように、包装用容器１Ａは、容器部ａと蓋部ｂとがヒンジ部Ｐを介して開閉自在となっている。すなわち、容器部ａは、底板１１、前板１２、左右の側板１３、１４および後板１５を有し、蓋部ｂは、天板２１、前板２２、左右の側板２３、２４および後板２５（図４には現れていない）を有しており、容器部ａの後板１５の上縁と蓋部ｂの後板２５の下縁との連続部が前記ヒンジ部Ｐを形成している。容器部ａのヒンジ部Ｐと反対側の角部には係止用突起１３Ｂ、１４Ｂが形成され、蓋部ｂのヒンジ部Ｐと反対側の角部には、蓋を閉めるときに前記係止用突起１３Ｂ、１４Ｂと係合する係止爪２３Ｂ、２４Ｂが形成されている。
【０００３】
包装用容器１Ａの使用に当たっては、図４に示す開放した姿勢として、容器部ａにハンバーガーなどの食品を収容し、収容後、ヒンジ部Ｐを回動軸として蓋部ｂを容器部ａの上まで回動させる。それにより、係止用突起１３Ｂ、１４Ｂと係止爪２３Ｂ、２４Ｂとは係合した状態となり、図５に示すように、食品を収容した閉じた状態の包装用容器１Ａとなる。収容した食品を取り出す際には、係止用突起１３Ｂ、１４Ｂと係止爪２３Ｂ、２４Ｂとの係合を解除した後、蓋部ｂを回動して、図４に示す開いた姿勢とする。
【０００４】
上記した形態の従来知られた包装用容器において、主にハンバーガーの収容に使用する場合には、比較的に剛性の高い用紙、一例として、２１０〜３１０ｇ／ｍ２の単位面積当たりの質量（坪量）を有する用紙を用いて作られる。そのために、包装用容器１Ａを図５に示す閉じた姿勢としたときに、容器部ａの後板１５と蓋部ｂの後板２５は外側に膨らんだ姿勢となることが多い。そして、その膨らみの程度は、上下方向ではヒンジ部Ｐの部分が、また左右幅方向では、ヒンジ部Ｐの幅方向の中央部が、最も大きくなる。
【０００５】
また、前記ヒンジ部に、該ヒンジ部の両端に達しない長さの切り込み線を設けるようにした包装用容器も提案されている。切り込み線があることで、ヒンジ部での剛性が低下すると共に、後板の膨らみ程度も抑制することが可能となる。
【先行技術文献】
【特許文献】
【０００６】
【特許文献１】特開２００７−２１０６６０号公報
【考案の開示】
【考案が解決しようとする課題】
【０００７】
使用者が包装用容器１Ａを開いた姿勢とすべく、蓋部ｂをヒンジ部Ｐを回動軸として回動させるときに、ヒンジ部Ｐでの紙の持つ剛性に打ち勝つ力に加えて、外側に膨らんでいる後板１５、２５の姿勢を膨らみのない状態に戻すための力も必要となる。そのようなことから、従来の包装用容器には、蓋を開くときに不用意な衝撃をハンバーガーなどの収容食品に与えないような開蓋作業が必要となっているという課題があった。
【０００８】
本考案は、ヒンジ部に切り込み線を備えた、図４、図５に示す形態の包装用容器において、蓋部をより安定した状態で開くことができるようにし、それにより使用者が、一層快適に使用することができるようにした包装容器を提供することを課題とする。
【課題を解決するための手段】
【０００９】
本考案による包装用容器は、容器部と蓋部とがヒンジ部を介して開閉自在な包装用容器であり、前記容器部は、底板、前板、左右の側板および後板を有し、前記蓋部は、天板、前板、左右の側板および後板を有し、前記容器部の後板の上縁と前記蓋部の後板の下縁とが連続して前記ヒンジ部が形成されている包装用容器において、前記ヒンジ部には該ヒンジ部の両端に達しない長さの第１の切り込み線が形成されており、前記容器部の後板と前記蓋部の後板のいずれか一方または双方には前記第１の切り込み線に一端が達する第２の切り込み線が形成されていることを特徴とする。
【００１０】
本考案の包装用容器では、当該包装用容器がハンバーガーなどの食品を提供する際に使用される２１０〜３１０ｇ／ｍ２の質量を有する紙で形成されている場合であっても、前記した第２の切り込み線が形成されていることによって、該第２の切り込み線が形成されている後板の幅方向の剛性を局所的に低下させることができる。そのために、蓋部を閉じた状態での前記した後板の膨らみ量を低減できるとともに、蓋を開くときに、ヒンジ部に形成した第１の切り込み線によって非連続状態となっている容器部の後壁の上縁部分の上に、蓋部の後壁の下縁部分が完全に乗った姿勢となったときでも、また、部分的にクロスした箇所を形成した姿勢となったときでも、その姿勢をスムーズに解消することが可能となり、結果として、使用者は違和感なく蓋体は容易に開くことができるようになる。なお、本考案において、前記第１の切り込み線の長さはヒンジ部の全長の７０〜８０％程度であることが好ましく、これより短いと十分な後板の十分な剛性低下が得られず、これを超えるとヒンジ部での容器部と蓋部の接続状態が不安定となる。
【００１１】
本考案による包装用容器において、前記第２の切り込み線の形成位置や形状に特に制限はなく、任意であってよい。所期の目的をよりよく達成するめの具体的な態様の一つとして、前記第２の切り込み線は前記第１の切り込み線の両端部に一端が達するようにして形成されている態様が挙げられる。この場合、前記第２の切り込み線は第１の切り込み線に対して垂直方向に形成されていてもよく、傾斜した方向に形成されていてもよい。より好ましくは、第２の切り込み線は、前記第１の切り込み線の両端部において、容器部の後板と蓋部の後板の双方に形成されており、さらに好ましくは、双方の第２の切り込み線はそれぞれの後板の幅方向中央に向かう方向に傾斜して形成されている。
【００１２】
さらに他の態様として、前記第２の切り込み線は前記第１の切り込み線部を頂部とするＶ字形状をなしている態様が挙げられる。この態様において、より好ましくは、前記Ｖ字形状をなす第２の切り込み線はその頂部が前記第１の切り込み線のほぼ中央部に位置するようにして形成されている。また、好ましくは、前記Ｖ字形状をなす第２の切り込み線は全体でほぼＸ字形状をなすように前記容器部の後板と前記蓋部の後板の双方に形成されている。本考案者らの実験では、Ｖ字形状あるいはＸ字形状をなすように第２の切り込み線を形成することによって、回動時に後板に作用する応力をより効果的に緩和することができ、また、回動時の後板の変形が容易となって、蓋体を開く作業が確実に容易となった。
【考案の効果】
【００１３】
本考案の包装用容器によれば、蓋体を閉じた姿勢から開いた姿勢とするときに容器の後板およびヒンジ部に作用する応力を効果的に緩和することができ、開閉時での容器の変形を少なくし、また蓋体を開くときの作業を容易化することが可能となる。それにより、開閉時に使用者は快適に開蓋することができ、商品価値の高い包装用容器が得られる。
【図面の簡単な説明】
【００１４】
【図１】本考案による包装用容器の一実施の形態を蓋部を閉じた状態で後板側から見て示す斜視図。
【図２】第２の切り込み線の他の形態を説明するための包装用容器を後板側から見て示す側面図。
【図３】第２の切り込み線のさらに他の形態を説明するための図２に相当する図。
【図４】従来の包装用容器を開いた状態で示す斜視図。
【図５】図４に示す包装用容器を閉じた状態で示す斜視図。
【考案を実施するための形態】
【００１５】
以下、図面を参照しながら、本考案を実施の形態に基づき説明する。
図１は、本考案による包装用容器の一実施の形態を、蓋体を閉じた状態で後板側から見て示している。包装用容器１の基本形態は、図４および図５に基づき説明したような、従来公知の容器部ａと蓋部ｂとがヒンジ部Ｐを介して開閉自在とされた箱型の包装用容器（クラムシェル型容器）であってよい。そのために、図１に示す包装用容器１では、図４および図５に基づき説明した包装用容器１Ａと同じ部材には同じ符号を付しており、説明は省略する。なお、本考案による包装用容器１には、図１に示される形態に限らず、容器部と蓋部とがヒンジ部を介して開閉自在な包装用容器であって、容器部は、底板、前板、左右の側板および後板を有し、蓋部は、天板、前板、左右の側板および後板を有し、前記容器部の後板の上縁と前記蓋部の後板の下縁とが連続してヒンジ部が形成されている包装用容器であれば、すべて含まれる。
【００１６】
本実施の形態の包装用容器１においては、図１に示すように、そのヒンジ部Ｐの両側の端部近傍を除いた部分に第１の切り込み線３０が設けられている。具体的には、包装用容器１を形成するブランクスを厚紙等から裁断機にて打ち抜く際に、当該裁断機によってヒンジ部Ｐに第１の切り込み線３０が入れられる。ここで、第１の切り込み線３０の長さは任意であるが、ヒンジ部Ｐの長さの７０〜８０％前後であることが好適である。また、図示する包装用容器１は２１０〜３１０ｇ／ｍ２の単位面積当たりの質量（坪量）を有する紙で形成されている。
【００１７】
図１に示すよう、包装用容器１の容器部ａの後板１５と蓋部ｂの後板２５の双方には前記第１の切り込み線３０に一端が達する第２の切り込み線４０が形成されている。この第２の切り込み線４０を有することで、後板１５、２５の幅方向の剛性を局所的に低下させることができ、蓋部ｂを閉じた状態としたときの後板１５、２５の外側への膨らみ量を低減できるとともに、蓋部ｂを開くときも、抵抗のない状態でスムーズに開くことができるようになる。
【００１８】
この例において、第２の切り込み線４０は、全体がＸ字状をなしている。詳細には、容器部ａの後板１５には、前記第１の切り込み線３０のほぼ中央部Ｓから図で下方にほぼ逆Ｖ字状に広がる２本の切り込み線４１ａ、４１ｂが形成されており、蓋部ｂの後板２５には、前記第１の切り込み線３０のほぼ中央部Ｓから図で上方にほぼＶ字状に広がる２本の切り込み線４１ｃ、４１ｄが形成されている。図示しないが、包装用容器１を形成するブランクスの状態では、切り込み線４１ａと４１ｄとは一直線状となっており、切り込み線４１ｂと４１ｃも一直線状となっている。切り込み線４１ａと４１ｂとがなす開き角度αおよび切り込み線４１ｃと４１ｄとがなす開き角度αは等しく、ほぼ９０度である。
【００１９】
後の実施例に示すように、この第２の切り込み線４０を備えた包装用容器１は、他の形態の第２の切り込み線４０を備えた包装用容器１と比較して、蓋部ｂの開きもスムーズであり、後板後板１５、２５の膨らみも小さく、最も使用勝手のよい包装用容器１であった。なお、前記角度αは９０度であり、第１の切り込み線３０と切り込み線４１ａ〜４１ｄとのなす角度がそれぞれ４５度であることは、剛性の均等な低減の観点から好ましいが、これに限らないことは当然である。また、切り込み線４１ａ〜４１ｄの長さは任意であり、後板１５、２５が蓋を閉じた状態で安定した姿勢を保持できることを条件に、長い方が好ましい。好ましくは、後板１５、２５の高さ方向の半分程度までに達する長さである。また、Ｖ字状をなす切り込み線の頂部位置が第１の切り込み線３０のほぼ中央部Ｓに位置することが最も好ましいが、左右に多少は変位していてもよい。
【００２０】
本形態による第２の切り込み線４０の形成位置と形状は、後板１５、２５のヒンジ部Ｐに沿った領域の剛性を局所的に低下させることのできる形状であれば任意であり、図１に示したものに限らない。以下、そのいくつかの例を説明する。
【００２１】
図２（ａ）の包装用容器１では、前記した切り込み線４０ｃ、４０ｄのみが蓋部ｂの後板２５に形成されており、容器部ａの後板１５には、第２の切り込み線４０は形成されていない。図２（ｂ）の包装用容器１では、前記した切り込み線４０ａ、４０ｂのみが容器部ａの後板１５に形成されており、蓋部ｂの後板２５には、第２の切り込み線４０は形成されていない。
【００２２】
図２（ｃ）の包装用容器１では、第１の切り込み線３０の両端部に第２の切り込み線４０が形成されている。ここでの第２の切り込み線４０は、容器部ａの後板１５において、第１の切り込み線３０の両端部からほぼ４５度の角度で幅方向の中央部に向けて傾斜する２本の切り込み線４１ａ、４１ｂと、蓋部ｂの後板２５において、第１の切り込み線３０の両端部からほぼ４５度の角度で幅方向の中央部に向けて傾斜する２本の切り込み線４１ｃ、４１ｄとで構成されている。図２（ｄ）の包装用容器１では、第１の切り込み線３０の両端部に第２の切り込み線４０が形成されているが、ここでの第２の切り込み線４０は、容器部ａの後板１５において、第１の切り込み線３０の両端部からほぼ垂直方向に立ち上がる２本の切り込み線４２ａ、４２ｂと、蓋部ｂの後板２５において、第１の切り込み線３０の両端部からほぼ垂直方向に立ち上がる２本の切り込み線４２ｃ、４２ｄとで構成されている。
【００２３】
図３（ａ）に示す包装用容器１では、第２の切り込み線４０は、容器部ａの後板１５において、第１の切り込み線３０のほぼ中央部からほぼ垂直方向に立ち上がる１本の切り込み線４３ａと、蓋部ｂの後板２５において、第１の切り込み線３０の左領域の適所から垂直方向に立ち上がる切り込み線４３ｃと、右領域の適所から垂直方向に立ち上がる切り込み線４３ｄとで構成されている。図３（ｂ）に示す包装用容器１では、第２の切り込み線４０は、容器部ａの後板１５において、第１の切り込み線３０のほぼ中央部から所要の角度で傾斜して延出する１本の切り込み線４４ａと、蓋部ｂの後板２５において、第１の切り込み線３０の左領域の適所から所要の角度で傾斜して延出する切り込み線４４ｃと、右領域の適所から所要の角度で傾斜して延出する切り込み線４４ｄとで構成されている。
【００２４】
また、図示しないが、図２（ｄ）に示した形態の包装用容器１において、直線状の切り込み線４２ａ〜４２ｄに代えて、図２（ａ）（ｂ）に示したようにＶ字状をなす切り込み線を形成してもよい。さらに、図３（ａ）（ｂ）に示した形態の包装用容器１のように、第１の切り込み線３０の両端部以外のところに第２の切り込み線４０を形成する形態において、容器部ａの後壁１５に形成する切り込み線の位置の本数、および蓋部ｂの後壁２５に形成する切り込み線の位置の本数は、図示のものに限定されるものではなく、任意であってよい。
【実施例】
【００２５】
次に、本発明者らが行った実施例と比較例について説明する。図４および図５に示した形状の包装用容器１を用い、その後板１５、２５の接続部であるヒンジ部Ｐに第１の切り込み線３０を形成したものを用意した。実施例１では、図１に示したように、第１の切り込み線３０のほぼ中央部に全体がＸ字状をなすようにして９０度で交差する第２の切り込み線４０を形成した。実施例２では、図２（ｃ）に示したように、第１の切り込み線３０の両端部に幅方向の中央部に向けて４５度で傾斜する４本の第２の切り込み線４１ａ〜４１ｄを形成した。実施例３では、図２（ｄ）に示したように、第１の切り込み線３０の両端部に垂直方向に立設する４本の第２の切り込み線４２ａ〜４２ｄを形成した。いずれの第２の切り込み線も、第１の切り込み線３０と反対側の端部は、後板１５、２５の高さ方向のほぼ半分のところまで達するようにした。第２の切り込み線をまったく形成しない包装用容器１を比較例とした。
【００２６】
実施例品と比較例品について、蓋を閉じた状態での後板１５、２５の膨らみ程度と、開けるときの開けやすさを評価した。その結果を表１に示した。
【００２７】
【表１】
0003175597.tif 000003
【００２８】
表１において、×は基準としての比較例の状態を示しており、○は比較例よりも大きく改善された状態を示しており、△は改善はされたが○よりも改善程度が低かった場合を示している。○、△、×は、試験者が、包装用容器１を手に持ち、膨らみについては見た目により、開きややすさについては、開くときの手に掛かる感触によって判断したものである。
【００２９】
表１に示すように、実施例１〜３のように第２の切り込み線４０、４１、４２を設けることで、膨らみおよび開きやすさの双方において改善が見られる。なかでも、実施例１（図１に基づき説明した形状のもの）は、使い勝手が大きく改善されたことがわかる。
【符号の説明】
【００３０】
１…包装用容器、
ａ…容器部、
ｂ…蓋部、
Ｐ…ヒンジ部、
３０…ヒンジ部に設けた第１の切り込み線、
４０、４１、４２、４３、４４…第２の切り込み線。
【図１】
0003175597.tif 000004
【図２】
0003175597.tif 000005
【図３】
0003175597.tif 000006
【図４】
0003175597.tif 000007
【図５】
0003175597.tif 000008